(57)【要約】【課題】入力可能な画像データのデータ形式の種類の制約を緩和する。【解決手段】本発明は、投射装置であって、画像データを受け付ける受付部と、画像データが投射装置で投影可能なデータ形式である投影可能画像データであるか否かを判定する判定部と、画像データが投影可能画像データでない場合、画像データを投影可能画像データに変換する変換装置に、画像データを送信し、変換装置から投影可能画像データを受信する通信部と、投影可能画像データを投影面に投影する制御を行う投影制御部と、を備える。【選択図】図１
2015019164.tif 000002
【特許請求の範囲】
【請求項１】
投射装置であって、
画像データを受け付ける受付部と、
前記画像データが前記投射装置で投影可能なデータ形式である投影可能画像データであるか否かを判定する判定部と、
前記画像データが前記投影可能画像データでない場合、前記画像データを前記投影可能画像データに変換する変換装置に、前記画像データを送信し、前記変換装置から前記投影可能画像データを受信する通信部と、
前記投影可能画像データを投影面に投影する制御を行う投影制御部と、
を備える投射装置。
【請求項２】
前記通信部は、
前記変換装置が、前記画像データを前記投影可能画像データに変換できない場合に、前記画像データが前記投影可能画像データに変換できないことを示すエラー情報を受信し、
前記投影制御部は、
前記通信部が受信した前記エラー情報を投影する
請求項１に記載の投射装置。
【請求項３】
前記通信部は、
前記画像データを前記変換装置に送信する前に、前記画像データの変換を依頼する変換依頼コマンドを前記変換装置に送信し、前記変換装置から前記画像データの変換を許可する許可コマンドを受信した場合に、前記画像データを前記変換装置に送信する
請求項１又は２に記載の投射装置。
【請求項４】
前記通信部は、
前記変換依頼コマンドに、変換を依頼する前記画像データのデータ形式を含むヘッダ情報を含めて前記変換装置に送信する
請求項３に記載の投射装置。
【請求項５】
前記投影制御部は、
前記通信部が前記変換装置に前記画像データを送信した場合、前記画像データを前記投影可能画像データに変換するために必要な前記変換装置の操作手順を示す情報を投影する
請求項１乃至４のいずれか１項に記載の投射装置。
【請求項６】
前記通信部は、
前記通信部が前記変換装置に前記画像データを送信した場合、前記画像データを前記投影可能画像データに変換するために必要な前記変換装置の操作手順を示す情報を、前記変換装置の表示部に表示することを依頼する表示依頼コマンドを送信する
請求項１乃至５のいずれか１項に記載の投射装置。
【請求項７】
前記投射装置は、複数の前記変換装置に接続され、
前記通信部は、
前記複数の変換装置と前記投射装置との接続状態を検知する検知部を更に備え、前記接続状態が通信可能な状態であるいずれか１つの前記変換装置に、前記画像データを送信する
請求項１乃至６のいずれか１項に記載の投射装置。
【請求項８】
前記通信部は、
前記変換装置と通信する第１通信インタフェースと、
前記画像データの投影を指示する指示装置と通信する第２通信インタフェースと、
を備え、
前記第２通信インタフェースを介して受信した前記画像データが、前記投影可能画像データでない場合、前記第２通信インタフェースを介して受信した前記画像データを、前記第１通信インタフェースを介して前記変換装置に送信する
請求項１乃至７のいずれか１項に記載の投射装置。
【請求項９】
投影システムであって、
画像データを受け付ける受付部と、
前記画像データが前記投影システムで投影可能なデータ形式である投影可能画像データであるか否かを判定する判定部と、
前記画像データを前記投影可能画像データに変換する変換部と、
前記画像データが前記投影可能画像データでない場合、前記画像データを前記変換部に送信し、前記変換部から前記投影可能画像データを受信する通信部と、
前記投影可能画像データを投影面に投影する制御を行う投影制御部と、
を備える投影システム。
【請求項１０】
コンピュータを、
画像データを受け付ける受付部と、
前記画像データが投射装置で投影可能なデータ形式である投影可能画像データであるか否かを判定する判定部と、
前記画像データが前記投影可能画像データでない場合、前記画像データを前記投影可能画像データに変換する変換装置に、前記画像データを送信し、前記変換装置から前記投影可能画像データを受信する通信部と、
前記投影可能画像データを投影面に投影する制御を行う投影制御部、
として機能させるためのプログラム。
【発明の詳細な説明】
【技術分野】
【０００１】
本発明は、投射装置、投影システム及びプログラムに関する。
【背景技術】
【０００２】
近年、動画や静止画などは、様々な形式のデータファイルで扱われているが、ＰＣなどの情報処理装置では、当該データファイルを利用できる環境が整っている。また、自宅のＰＣで、サーバ装置にある映像ファイルを、ストリーミング再生して視聴するといったライフスタイルも一般的になってきている。
【０００３】
また、一般に、投射装置や画像処理装置は、有線ケーブル（Ｄ−ＳＵＢ、ＤＶＩ及びＨＤＭＩ（登録商標）など）、無線ＬＡＮ、及び記憶媒体（ＵＳＢメモリ及びＳＤ（登録商標）カードなど）などを使用するためのインタフェースを備えている。特許文献１には、デジタルテレビなどの映像表示装置と、フォトプリンタなどの映像出力装置とをＨＤＭＩケーブルなどを介して接続し、映像表示装置に対する映像データの拡大や縮小などの指示に応じて、映像出力装置が画像処理を行う発明が開示されている。
【０００４】
また、各種の装置間のネットワークの常時接続も容易になってきている。例えば、ＨＤＭＩ（Ｖｅｒ  １．４）では、１本のＨＤＭＩケーブルでイーサネット（登録商標）によるネットワーク接続と画像データの転送とが可能である。このような環境の変化により、プロジェクタなどの投射装置でも、各種のデータファイルの表示又は再生機能、並びに映像のストリーミング再生機能が求められている。
【発明の概要】
【発明が解決しようとする課題】
【０００５】
しかしながら、従来の投射装置は、価格の制約及び省電力化の要求により、投射装置に入力できる画像データに、画像フォーマット及び画像サイズなどの制約があった。そのため、投射装置で投影可能な画像データのデータ形式の種類に制限があった。
【０００６】
本発明は、上記に鑑みてなされたものであって、入力可能な画像データのデータ形式の種類の制約が少ない投射装置、投影システム及びプログラムを提供することを目的とする。
【課題を解決するための手段】
【０００７】
上述した課題を解決し、目的を達成するために、本発明は、投射装置であって、画像データを受け付ける受付部と、前記画像データが前記投射装置で投影可能なデータ形式である投影可能画像データであるか否かを判定する判定部と、前記画像データが前記投影可能画像データでない場合、前記画像データを前記投影可能画像データに変換する変換装置に、前記画像データを送信し、前記変換装置から前記投影可能画像データを受信する通信部と、前記投影可能画像データを投影面に投影する制御を行う投影制御部と、を備える。
【発明の効果】
【０００８】
本発明によれば、入力可能な画像データのデータ形式の種類の制約を緩和することができるという効果を奏する。
【図面の簡単な説明】
【０００９】
【図１】図１は、本実施形態の投影システムの構成の一例を示す図である。
【図２】図２は、本実施形態の投射装置の第１ＩＦの構成の一例を示す図である。
【図３】図３は、本実施形態の情報処理装置の構成の一例を示す図である。
【図４】図４は、本実形態の投影方法の一例を示すフローチャートである。
【図５】図５は、本実施形態の投射装置及び情報処理装置でプログラムを実行するためのハードウェア構成の一例を示す図である。
【発明を実施するための形態】
【００１０】
以下に添付図面を参照して、投射装置、投影システム及びプログラムの実施の形態を詳細に説明する。
【００１１】
図１は、本実施形態の投影システム１００の一例を示す図である。本実施形態の投影システム１００は、投射装置１０及び情報処理装置２０−１〜２０−ｎを備える。以下、情報処理装置２０−１〜２０−ｎを区別する必要がない場合は、単に情報処理装置２０という。なお、情報処理装置２０の数は任意でよい。
【００１２】
まず、本実施形態の投射装置１０の構成について説明する。本実施形態の投射装置１０は、通信部１１、記憶部１２、受付部１３、判定部１４、投影制御部１５及び投影部１６を備える。
【００１３】
はじめに、本実施形態の投射装置１０の通信機能に係る機能ブロックである通信部１１ついて説明する。通信部１１は、情報処理装置２０−１〜２０−ｎと通信する。ここで、投射装置１０と通信する情報処理装置２０について説明する。情報処理装置２０は、投射装置１０が投影する画像データを指示する指示装置又は投射装置１０が投影できない画像データを変換する変換装置として動作する。情報処理装置２０は、具体的には、一般ユーザのＰＣ、スマートデバイス、又は画像変換処理のために用意された専用のサーバ装置などである。本実施形態の説明では、情報処理装置２０−１、２０−５、・・・、２０−ｎが、指示装置として動作する。また、情報処理装置２０−２（一般ユーザのＰＣ）、２０−３（専用のサーバ装置）及び２０−４（一般ユーザのＰＣ）が、変換装置として動作する。なお、１つの情報処理装置２０が、指示装置及び変換装置の両方の動作を行ってもよい。
【００１４】
通信部１１は、第１ＩＦ１１１、第２ＩＦ１１２、第３ＩＦ１１３及び検知部１１４を備える。本実施形態の説明では、第１ＩＦ１１１をＨＤＭＩ（Ｖｅｒ  １．４以上）とし、第２ＩＦ１１２をイーサネットとし、第３ＩＦ１１３をＵＳＢとする。なお、イーサネットによる接続方式は、有線方式であっても無線方式であってもよい。第１ＩＦ１１１は、投射装置１０と情報処理装置２０−２とを接続する。第２ＩＦ１１２は、投射装置１０と情報処理装置２０−３、２０−４、・・・、２０−ｎとを接続する。なお、投射装置１０と情報処理装置２０−３、２０−４、・・・、２０−ｎとの間に、ルータなどの中継装置が存在してもよい。第３ＩＦ１１３は、投射装置１０と情報処理装置２０−１とを接続する。
【００１５】
検知部１１４は、投射装置１０と第１ＩＦ１１１、第２ＩＦ１１２又は第３ＩＦ１１３を介して接続されている情報処理装置２０との接続状態を検知する。通信部１１は、接続状態が通信可能な状態であるいずれか１つの変換装置（本実施形態の投影システム１００では、情報処理装置２０−２、２０−３又は２０−４）に、画像データを送信する。
【００１６】
なお、通信部１１が備えるインタフェースの数及び種類は、本実施形態の投射装置１０の形態に限られず任意でよい。また、第３ＩＦ１１３（ＵＳＢ）に接続される装置は、情報処理装置２０ではなく、画像データを保存したＵＳＢメモリやＵＳＢ外付けハードディスクなどの記憶装置でもよい。
【００１７】
ここで、ＨＤＭＩ（Ｖｅｒ  １．４以上）を使用する第１ＩＦ１１１について説明する。図２は、本実施形態の投射装置１０の第１ＩＦ１１１の構成の一例を示す図である。本実施形態の第１ＩＦ１１１は、ＨＤＭＩバージョン１．４以上に対応したＨＤＭＩレシーバである。第１ＩＦ１１１は、ＣＥＣ（Ｃｏｎｓｕｍｅｒ  Ｅｌｅｃｔｒｏｎｉｃｓ  Ｃｏｎｔｒｏｌ）コマンド通信部１０１、イーサネット部１０２及び画像データＩＦ１０３を備える。
【００１８】
ＣＥＣコマンド通信部１０１は、ＣＥＣコマンドを送受信する。ＣＥＣは、ＨＤＭＩのバージョン１．４で既定された規格であり、ＨＤＭＩ信号を送信するソース機器と、ＨＤＭＩ信号を受信するシンク機器との間で、制御コマンドを送受信するための規格である。制御コマンドは、予め定義された共通のＣＥＣコマンドと、ベンダーが独自に定義することができるＣＥＣコマンドとがある。当該共通のＣＥＣコマンドにより実現される機能には、例えば、システムスタンバイ機能がある。システムスタンバイ機能は、ユーザが、機器の電源をＯＦＦにすると、当該機器が、ＨＤＭＩケーブルを介して他方の機器にＣＥＣコマンドを送信して、当該他方の機器を待機状態にする機能である。
【００１９】
イーサネット部１０２は、ソース機器とシンク機器との間で、イーサネットを介してデータを送受信する。ＨＤＭＩ１．４では、ＨＥＣ（ＨＤＭＩ  Ｅｔｈｅｒｎｅｔ（登録商標）  Ｃｈａｎｎｅｌ）という規格が導入され、ＨＤＭＩ１．４に対応した１本のＨＤＭＩケーブルにより、画像データとイーサネットによるネットワーク接続とが可能である。
【００２０】
画像データＩＦ１０３は、ＨＤＭＩのソース機器（図１では情報処理装置２０−２）から、画像データをＲＧＢ形式又はＹＣＣ形式で受信し、当該画像データを投影制御部１５に送信する。
【００２１】
次に、投射装置１０が、指示装置（本実施形態の投影システム１００では、情報処理装置２０−１、２０−５、・・・、又は２０−ｎ）から画像データを受け付けたときに動作する投射装置１０の機能ブロックについて説明する。図１に戻り、記憶部１２は、情報処理装置２０−１、２０−５、・・・、又は２０−ｎから、通信部１１を介して受け付けた画像データを記憶する。受付部１３は、当該画像データを記憶部１２から取得し、判定部１４に送信する。
【００２２】
判定部１４は、画像データが投射装置１０で投影可能なデータ形式である投影可能画像データであるか否かを判定する。具体的には、判定部１４は、画像データが動画ファイルの場合は、投射装置１０が対応しているファイルフォーマットであるか否かを判定する。次に、判定部１４は、対応するファイルフォーマットであれば、フレームレート、ビットレート、ファイルサイズ、画像サイズ（縦横画素数）及びコーデック等の情報を、動画ファイルのヘッダから読み取る。判定部１４は、動画ファイルのヘッダから読み取った情報から、当該動画ファイルを投影することができるか否かを判定する。判定部１４は、画像データが静止画ファイルの場合は、動画ファイルの場合と同様にして、ファイルフォーマット、画像サイズ（縦横画素数）及び当該静止画ファイルを表示するための静止画コーデック等の情報から、当該静止画ファイルを投影することができるか否かを判定する。なお、画像データが投影可能であるかを判定する方法は、上述の方法に限られず、その他の方法でもよい。
【００２３】
判定部１４は、画像データが投影可能画像データである場合、投影制御部１５に当該画像データを送信する。また、判定部１４は、画像データが投影可能画像データでない場合、画像データを投影可能画像データに変換する変換装置（情報処理装置２０−２、２０−３又は２０−４）に、通信部１１を介して当該画像データを送信する。
【００２４】
通信部１１は、上述の検知部１１４により接続状態が通信可能な状態であると検知された変換装置に、画像データの変換を依頼する変換依頼コマンドを送信する。通信部１１は、変換装置から画像データの変換を許可する許可コマンドを受信した場合に、画像データと表示依頼コマンドとを変換装置に送信する。表示依頼コマンドは、画像データを投影可能画像データに変換するために必要な変換装置の操作手順を示す情報を、変換装置に表示することを依頼するコマンドである。また、通信部１１は、画像データを変換装置に送信した後に、当該変換装置の操作手順を示す情報を投影することを投影制御部１５に依頼する。
【００２５】
通信部１１は、当該変換装置から投影可能画像データを受信した場合、当該投影可能画像データを投影制御部１５に送信する。また、通信部１１は、当該変換装置から画像データが投影可能画像データに変換できないことを示すエラー情報を受信した場合、当該エラー情報を投影制御部１５に送信する。
【００２６】
投影制御部１５は、通信部１１又は判定部１４から受信した画像データ（投影可能画像データ）を、投影面に投影する制御を行う。当該制御は、投影面に依存する歪みの補正や、投影可能画像データが動画ファイルであった場合に、当該動画ファイルからフレームを定期的に読み出して、所定のタイミングで当該フレームを投影部１６に送信するなどである。以下、このような制御を行う処理を「投影制御処理」という。また、投影制御部１５は、通信部１１から上述のエラー情報を受信し、当該エラー情報を投影面に投影する制御を行う。また、投影制御部１５は、通信部１１から上述の変換装置の操作手順を示す情報の投影の依頼を受信すると、当該変換装置の操作手順を示す情報を記憶部１２から取得し、当該変換装置の操作手順を示す情報を投影面に投影するための制御を行う。
【００２７】
投影部１６は、投影制御部１５による制御に基づいて、投影制御部１５から受信した情報を投影面に投影する。当該情報は、投影可能画像データ、変換装置の操作手順を示す情報、又は通信部１１が受信したエラー情報などである。
【００２８】
次に、本実施形態の情報処理装置２０の構成について説明する。図３は、本実施形態の情報処理装置の構成の一例を示す図である。本実施形態の情報処理装置２０は、通信部２１、記憶部２２、指示部２３、変換部２４、表示部２５及び表示制御部２６を備える。通信部２１は、投射装置１０などの他の装置と通信する。情報処理装置２０は、指示装置又は変換装置として機能する。まず、情報処理装置２０の指示装置としての機能について説明する。記憶部２２は、投射装置１０で投影する画像データを記憶する。指示部２３は、投射装置１０に投影させる画像データを指示する。具体的には、指示部２３は、ユーザの入力操作に応じて、記憶部２２から取得した画像データを、通信部２１を介して投射装置１０に送信する。
【００２９】
次に、情報処理装置２０の変換装置としての機能について説明する。通信部２１は、投射装置１０から、投射装置１０が投影できない画像データと、上述の表示依頼コマンドとを受信すると、当該画像データを変換部２４に送信し、当該表示依頼コマンドを表示制御部２６に送信する。表示制御部２６は、当該表示依頼コマンドを受信すると、記憶部２２から、画像データを投影可能画像データに変換するために必要な変換装置の操作手順を示す情報を取得し、表示部２５に当該操作手順を示す情報を表示する。
【００３０】
変換部２４は、当該画像データをデコードして投射装置１０が投影可能な画像データ形式である投影可能画像データに変換し、当該投影可能画像データを通信部２１に送信する。通信部２１は、当該投影可能画像データを投射装置１０に送信する。なお、変換部２４の具体的な変換処理、及び変換装置の操作手順の表示処理は、例えば、情報処理装置２０に当該変換処理及び表示処理を実行する画像変換アプリケーションをインストールすることにより実現することができる。
【００３１】
次に、本実施形態の投影方法についてフローチャートを参照して詳細に説明する。図４は、本実形態の投影方法の一例を示すフローチャートである。受付部１３は、指示装置（情報処理装置２０−１、２０−５、・・・、又は２０−ｎ）から画像データを受け付ける（ステップＳ１）。受付部１３は、当該画像データを判定部１４に送信する。判定部１４は、画像データが投影可能画像データであるか否かを判定する（ステップＳ２）。
【００３２】
画像データが投影可能画像データである場合（ステップＳ２、Ｙｅｓ）は、当該投影可能画像データを投影制御部１５に送信する。投影制御部１５は、当該投影可能画像データを、投影部１６が投影面に投影するための投影制御処理を行った後、当該投影可能画像データを投影部１６に送信する。投影部１６は、当該投影可能画像データを投影する（ステップＳ１２）。
【００３３】
画像データが投影可能画像データでない場合（ステップＳ２、Ｎｏ）は、検知部１１４が、投射装置１０と変換装置（情報処理装置２０−２、２０−３又は２０−４）との接続状態が通信可能な状態であるか否かを検知する（ステップＳ３）。具体的には、検知部１１４は、まず、第１ＩＦ１１１（ＨＤＭＩ）と接続された情報処理装置２０−２（一般ユーザのＰＣ）が通信可能な状態であるか否かを判断する。次に、検知部１１４は、第２ＩＦ１１２（イーサネット）と接続された情報処理装置２０−４（一般ユーザのＰＣ）が通信可能な状態であるか否かを判断する。次に、検知部１１４は、第３ＩＦ１１３（ＵＳＢ）と接続された情報処理装置２０−１が通信可能な状態であるか否かを判断する。検知部１１４は、上述の優先順序で、投射装置１０と変換装置との接続状態が通信可能な状態であるか否かを検知する。すなわち、検知部１１４は、通信可能な変換装置を検知すると、接続状態を検知する処理を終了する。
【００３４】
なお、投射装置１０と変換装置との接続状態が通信可能な状態であることを検知する順序は、上述の優先順序に限られず、任意でよい。なお、本実施形態の投射装置１０において、ＨＤＭＩによる接続確認を第一の優先とする理由は、通信品質や速度などの性能を担保するためである。例えば、イーサネット接続が無線方式の場合は、接続状態が安定しない場合や、帯域の制限により、送受信するデータのフレームレートや画質を落とす必要がある場合などがあるためである。
【００３５】
接続状態が通信可能な状態でない場合（ステップＳ３、Ｎｏ）は、通信部１１が、投射装置１０と情報処理装置２０との接続をユーザに提案する旨のメッセージの投影を投影制御部１５に依頼する。投影部１６は、当該メッセージを投影（ステップＳ４）し、ステップＳ３に戻る。当該メッセージは、例えば、「指定された画像データは投影できません。本機のＨＤＭＩ端子に、指定の画像変換アプリケーションがインストールされたＰＣを接続すれば、投影することができる可能性があります。」などである。
【００３６】
接続状態が通信可能な状態である場合（ステップＳ３、Ｙｅｓ）は、通信部１１が、当該通信可能なＩＦを使用して、変換装置に変換依頼コマンドを送信する（ステップＳ５）。変換装置は、変換依頼コマンドを受信すると、画像データの変換を受け付けるか否かを判定し、画像データの変換を受け付ける場合は、許可コマンドを送信する。
【００３７】
なお、ステップＳ５で送信される変換依頼コマンドに、変換を依頼する画像データのヘッダ情報を含めて送信してもよい。これにより、変換装置は、ヘッダ情報に含まれる画像データのデータ形式などから画像データの変換が可能であるか否かを事前に判定し、投射装置１０に許可コマンドを送信するか否かを判定することができる。
【００３８】
通信部１１は、当該変換装置から許可コマンドを受信したか否かを判定する（ステップＳ６）。例えば、通信部１１は、ステップＳ５で変換装置に変換依頼コマンドを送信した後、所定の時間以内に、当該変換装置から許可コマンドを受信するか否かを判定することにより、当該許可コマンドを受信したか否かを判定する。
【００３９】
許可コマンドを受信しなかった場合（ステップＳ６、Ｎｏ）は、通信部１１が、画像データの変換依頼が拒否されたことを示すエラー情報の投影を投影制御部１５に依頼する。投影制御部１５は、当該エラー情報を投影部１６が投影面に投影するための投影制御処理を行った後、当該エラー情報を投影部１６に送信する。投影部１６は、当該エラー情報を投影（ステップＳ１１）し、処理を終了する。
【００４０】
許可コマンドを受信した場合（ステップＳ６、Ｙｅｓ）は、通信部１１は、画像データと上述の表示依頼コマンドとを変換装置に送信する（ステップＳ７）。変換装置の通信部２１は、画像データと表示依頼コマンドとを受信すると、当該画像データを変換部２４に送信し、当該表示依頼コマンドを表示制御部２６に送信する。
【００４１】
表示制御部２６は、当該表示依頼コマンドを受信すると、記憶部２２から、画像データを投影可能画像データに変換するために必要な変換装置の操作手順を示す情報を取得し、表示部２５に当該操作手順を示す情報を表示する。また、投射装置１０の通信部１１は、画像データと表示依頼コマンドとを変換装置に送信した後に、当該変換装置の操作手順を示す情報を投影することを投影制御部１５に依頼する。投影制御部１５は、当該変換装置の操作手順を示す情報を記憶部１２から取得し、当該変換装置の操作手順を示す情報を投影部１６が投影面に投影するための投影制御処理を行う。投影部１６は、画像データを投影可能画像データに変換するために必要な変換装置の操作手順を示す情報を投影する（ステップＳ８）。
【００４２】
投射装置１０の通信部１１は、変換装置から変換処理の結果を含む応答データを受信する（ステップＳ９）。通信部１１は、当該応答データを参照し、画像データが投影可能であるか否かを判定する（ステップＳ１０）。通信部１１は、当該応答データに、投影可能画像データが含まれている場合、画像データが投影可能であると判定する。通信部１１は、当該応答データに画像データが前記投影可能画像データに変換できないことを示すエラー情報が含まれていた場合、画像データが投影可能でないと判定する。
【００４３】
画像データが投影可能でない場合（ステップＳ１０、Ｎｏ）は、投影制御部１５が、当該エラー情報を、投影部１６が投影面に投影するための投影制御処理を行った後、当該エラー情報を投影部１６に送信する。投影部１６は、当該エラー情報を投影する（ステップＳ１１）。画像データが投影可能である場合（ステップＳ１０、Ｙｅｓ）は、投影制御部１５が、当該投影可能画像データを、投影部１６が投影面に投影するための投影制御処理を行った後、当該投影可能画像データを投影部１６に送信する。投影部１６は、当該投影可能画像データを投影する（ステップＳ１２）。
【００４４】
本実施形態の投射装置１０は、画像データが投影可能画像データでない場合、画像データを投影可能画像データに変換する変換装置に、当該画像データを送信し、変換装置から投影可能画像データを受信するので、入力可能な画像データのデータ形式の種類の制約を緩和することができる。
【００４５】
また、本実施形態の投射装置１０は、通信部１１が複数の通信ＩＦを備えるため、ＨＤＭＩケーブルなどのケーブルの差し替えをすることなく、指示装置及び変換装置との通信が可能である。例えば、通信部１１が、第２ＩＦ１１２（イーサネット）を介して接続された指示装置（情報処理装置２０−５〜２０−ｎ）から受信した画像データが投影可能でない場合、当該画像データを、第１ＩＦ１１１（ＨＤＭＩ）により変換装置（情報処理装置２０−２）に送信する。これにより、ケーブルの差し替えをすることなく、指示装置及び変換装置との通信が可能になる。
【００４６】
なお、本実施形態の投影システム１００において、変換装置の操作手順を示す情報の表示（変換装置）と投影（投射装置）は、投射装置１０の設定に応じて、いずれか一方の装置のみで実施するようにしてもよいし、省略できるようにしてもよい。また、変換依頼コマンドの送信と許可コマンドの受信とによる画像データの送信判断処理は、情報処理装置２０が変換装置として専用に用意されたサーバ装置などの場合は、投射装置１０の設定に応じて省略できるようにしてもよい。
【００４７】
最後に、本実施形態の投射装置１０及び情報処理装置でプログラムを実行するためのハードウェア構成について説明する。図５は、本実施形態の投射装置及び情報処理装置でプログラムを実行するためのハードウェア構成の一例を示す図である。本実施形態の投射装置１０及び情報処理装置２０は、制御装置３１と、通信装置３２と、主記憶装置３３と、補助記憶装置３４とを備える。制御装置３１と、通信装置３２と、主記憶装置３３と、補助記憶装置３４とは、バス３５を介して互いに接続されている。
【００４８】
制御装置３１は、補助記憶装置３４から主記憶装置３３に読み出されたプログラムを実行する。主記憶装置３３は、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等のメモリである。補助記憶装置３４は、例えば、ハードディスクやメモリカード等である。通信装置３２は、ネットワークに接続するためのインタフェースである。
【００４９】
本実施形態の投射装置１０及び情報処理装置２０で実行されるプログラムを、インストール可能な形式又は実行可能な形式のファイルでＣＤ−ＲＯＭ、メモリカード、ＣＤ−Ｒ及びＤＶＤ（Ｄｉｇｉｔａｌ  Ｖｅｒｓａｔｉｌｅ  Ｄｉｓｋ）等のコンピュータで読み取り可能な記録媒体に記録し、コンピュータ・プログラム・プロダクトとして提供してもよい。また、本実施形態の投射装置１０及び情報処理装置２０で実行されるプログラムを、インターネット等のネットワークに接続されたコンピュータ上に格納し、ネットワーク経由でダウンロードさせることにより提供してもよい。また、本実施形態の投射装置１０及び情報処理装置２０で実行されるプログラムをダウンロードさせずに、インターネット等のネットワーク経由で提供、又は配布してもよい。また、本実施形態の投射装置１０及び情報処理装置２０のプログラムを、ＲＯＭ等に予め組み込んで提供してもよい。
【００５０】
本実施形態の投射装置１０で実行されるプログラムは、上述した投射装置１０の各機能ブロックのうち、プログラムとしても実現可能な機能ブロック（通信部１１、受付部１３及び判定部１４）を含むモジュール構成となっている。また、本実施形態の情報処理装置２０で実行されるプログラムは、上述した情報処理装置２０の各機能ブロックのうち、プログラムとしても実現可能な機能ブロック（通信部２１、指示部２３、変換部２４及び表示制御部２６）を含むモジュール構成となっている。
【００５１】
当該モジュールは、実際のハードウェアとしては、制御装置３１が上記記録媒体からプログラムを読み出して実行することにより、上記各モジュールが主記憶装置３３上にロードされる。すなわち、上記各モジュールは、主記憶装置３３上に生成される。なお、投射装置１０及び情報処理装置２０の各機能ブロックの一部、又は全部を、プログラムにより実現せずに、ＩＣ（Ｉｎｔｅｇｒａｔｅｄ  Ｃｉｒｃｕｉｔ）等のハードウェアにより実現してもよい。
【符号の説明】
【００５２】
１０  投射装置
１１  通信部
１２  記憶部
１３  受付部
１４  判定部
１５  投影制御部
１６  投影部
２０  情報処理装置
２１  通信部
２２  記憶部
２３  指示部
２４  変換部
２５  表示部
２６  表示制御部
３１  制御装置
３２  通信装置
３３  主記憶装置
３４  補助記憶装置
３５  バス
１００  投影システム
１０１  ＣＥＣコマンド通信部
１０２  イーサネット部
１０３  画像データＩＦ
１１１  第１ＩＦ
１１２  第２ＩＦ
１１３  第３ＩＦ
１１４  検知部
【先行技術文献】
【特許文献】
【００５３】
【特許文献１】特開２００９−２００６４０号公報
【図１】
2015019164.tif 000003
【図２】
2015019164.tif 000004
【図３】
2015019164.tif 000005
【図４】
2015019164.tif 000006
【図５】
2015019164.tif 000007